(57)【要約】【課題】隠しスライドファスナーにおいて、上止めとスライダーとが激しく当接するのを避け、損傷のない安定した状態を維持し、円滑な操作が行える。【解決手段】ファスナーチエンに挿通したスライダーの案内柱における摺動面に突設した、エレメントの頭部をガイドするエレメントガイド部に、その先端を切欠して緩やかな斜面状の逃げ部を設けるか、またはファスナーテープのＵ字状の折曲縁部に取り付けた上止めの側縁の隅角部に、その隅角部を弧状または斜面状に切欠して緩やかな逃げ部を設けるか、あるいは双方に逃げ部を設けて両者の当接を積極的に回避した隠しスライドファスナーである。【選択図】  図９
2004195046.tif 000002
【特許請求の範囲】
【請求項１】
隠しスライドファスナーにおいて、スライダー１の案内柱３の摺動面７に形成するエレメントガイド部６、およびまたは該エレメントガイド部６と対面する上止め１４の側縁の隅角部１５に、エレメントガイド部６と隅角部１５とが当接するのを回避する逃げ部８，１６を形成してなることを特徴とする隠しスライドファスナー。
【請求項２】
ファスナーテープ１０の折曲縁部１１に形成する上止め１４のエレメントガイド部６と対面する隅角部１５を適宜切欠して逃げ部１６を形成してなる請求項１記載の隠しスライドファスナー。
【請求項３】
スライダー１の案内柱３の摺動面７に突出状に形成するエレメントガイド部６を、上止め１４の隅角部１５と対面する部分を適宜切欠して逃げ部８を形成してなる請求項１記載の隠しスライドファスナー。
【請求項４】
スライダー１の案内柱３の摺動面７に形成するエレメントガイド部６と、該エレメントガイド部６と対面する上止め１４の隅角部１５との双方を適宜切欠して逃げ部８，１６を形成してなる請求項１記載の隠しスライドファスナー。
【請求項５】
ファスナーテープ１０の折曲縁部１１に形成する上止め１４の隅角部１５を切欠して形成する逃げ部１６は上止め１４の隅角部１５の一部に形成してなる請求項２記載の隠しスライドファスナー。
【請求項６】
ファスナーエレメント１２は線条ファスナーエレメント１２から形成し、上止め１４はファスナーエレメント１２の数ピッチに及ぶ長さでファスナーエレメント列２３と略同一断面形状で一体成形し、ファスナーエレメント１２の頭部１８側におけるファスナーテープ１０側の隅角部１５に逃げ部１６を成形してなる請求項１、２、４または５記載の隠しスライドファスナー。
【請求項７】
ファスナーテープ１０の折曲縁部１１に形成する上止め１４は、熱可塑性樹脂を用いて射出成形で一体成形してなる請求項１、２、４、５または６記載の隠しスライドファスナー。
【発明の詳細な説明】
【０００１】
【発明の属する技術分野】
この発明は、隠しスライドファスナーにおけるスライダーとファスナーテープに取り付けた上止めとに関し、スライダーの案内柱と、この案内柱に摺接するファスナーテープの端部に取り付けた樹脂製の上止めとの関連形態に関するものである。
【０００２】
【従来の技術】
従来の隠しスライドファスナーにおけるファスナーテープの折曲縁部に取り付けたファスナーエレメントに溶着する樹脂製の上止めは、数多く存在するが、例えば図１３に示すように、コイル状ファスナーエレメントから形成された隠しスライドファスナーにおいて、ファスナーエレメントのないスペース部におけるファスナーテープの折曲縁部に樹脂を用いて射出成形手段によって、断面が四角形状の長方体の上止めを成形した隠しスライドファスナーが知られている。（例えば、特許文献１参照。）
【０００３】
【特許文献１】
実公昭４８−３９３６７号公報
（第２欄１４〜３５行、図面第１〜３図）
【０００４】
【発明が解決しようとする課題】
従来の隠しスライドファスナーにおけるスライダーは、図１２に示すタイプのスライダーが大部分を占めている。この隠しスライダーは、胴体の案内柱の両側にある摺接面に隠しファスナーエレメントの頭部をガイドする外方へ突出する水平状のエレメントガイド部が形成されている。
【０００５】
前項で述べた図１３に示す特許文献１に開示された射出成形の隠しスライドファスナーの上止めは、スライダーによるファスナーチエンの閉鎖時に、ファスナーテープの横引張り動作と、ファスナーテープとファスナーエレメント間に介在するスライダーのガイドフランジによって上止めが傾き、上止めの前面の隅角部が案内柱のエレメントガイド部に圧迫当接するため、摺動が重く円滑な開閉操作ができないなど問題がある。
【０００６】
この発明は、上述の問題点を考慮して発明されたものであり、隠しスライドファスナーにおけるスライダーと上止めに改良を加えたものである。その要点はスライダーの胴体における案内柱と、ファスナーテープの折曲縁部に取り付ける上止めとの関連構成について発明したものである。
【０００７】
この発明の請求項１記載の発明は、隠しスライドファスナーにおいて、ファスナーチエンをスライダーによって閉鎖するとき、スライダーの案内柱に形成したエレメントガイド部と、ファスナーテープの折曲縁部に取り付けた樹脂製の上止めとが激しく当接するのを案内柱およびまたは上止めが回避し、上止めに損傷を与えず長期にわたって安定した状態を維持し、円滑に操作できる隠しスライドファスナーをを提供することが主たる目的である。
【０００８】
請求項２記載の発明は、請求項１記載の発明の目的に加え、ファスナーテープの折曲縁部に取り付ける上止めに、案内柱のエレメントガイド部と対面する個所に当接を回避できる形態に形成し、安定した状態を維持し、効率よく長期にわたって使用できる隠しスライドファスナーを提供することが目的である。
【０００９】
請求項３記載の発明は、請求項１記載の発明の目的に加え、スライダーの案内柱における摺動面に設けるエレメントガイド部に、上止めと対面する個所に当接を回避できる形態に形成し、安定した状態を維持し、効率よく長期にわたって使用できる隠しスライドファスナーを提供することが目的である。
【００１０】
請求項４記載の発明は、請求項１記載の発明の目的に加え、ファスナーテープの折曲縁部に取り付ける上止めと、スライダーの案内柱に設けるエレメントガイド部との双方に、相対する個所を互いに当接を回避できる形態に形成し、安定した状態を維持し、効率よく長期にわたって使用できる隠しスライドファスナーを提供することが目的である。
【００１１】
請求項５記載の発明は、請求項２記載の発明の目的に加え、ファスナーテープの折曲縁部に取り付ける上止めに、エレメントガイド部と当接する回避できる部分を上止めの一部にのみ設け、長尺状の上止めに適した形態に形成した隠しスライドファスナーを提供することが目的である。
【００１２】
請求項６記載の発明は、請求項１、２、４、または５記載の発明の目的に加え、コイル状またはジグザグ状の線条ファスナーエレメントを装着した、隠しスライドファスナーの上止めの形態を特定し、有効的に機能を発揮できる線条隠しスライドファスナーを提供することが目的である。
【００１３】
請求項７記載の発明は、請求項１、２、４、５または６記載の発明の目的に加え、ファスナーテープの折曲縁部に取り付ける上止めの材料を特定し、上止めの作製が簡易に行うことができ、かつ的確に機能が発揮できる隠しスライドファスナーを提供することが目的である。
【００１４】
【課題を解決するための手段】
前記の目的を達成するため、この発明のうち請求項１記載の発明は、隠しスライドファスナーにおいて、スライダー１の胴体２の案内柱３における摺動面７に形成するファスナーエレメント１２の頭部１８をガイドできるエレメントガイド部６、およびまたはエレメントガイド部６と対面するファスナーテープ１０の縁部に形成する上止め１４において対向面に露呈する側縁の隅角部１５に、エレメントガイド部６と隅角部１５とが当接するのを回避できる逃げ部８，１６を形成した隠しスライドファスナーを主な構成とするものである。
【００１５】
請求項２記載の発明は、請求項１記載の発明の構成に加え、ファスナーテープ１０をＵ字状に反転した折曲縁部１１に形成する上止め１４において、エレメントガイド部６と対面するファスナーテープ１０側に位置する隅角部１５を適宜形状に切欠し、エレメントガイド部６と当接するのを回避できる逃げ部１６を形成した隠しスライドファスナーである。
【００１６】
請求項３記載の発明は、請求項１記載の発明の構成に加え、スライダー１の胴体２における案内柱３の摺動面７に突出状に形成するエレメントガイド部６において、上止め１４のファスナーテープ１０側に位置する隅角部１５と対面する部分を適宜形状に切欠し、隅角部１５と当接するのを回避できる逃げ部８を形成した隠しスライドファスナーである。
【００１７】
請求項４記載の発明は、請求項１記載の発明の構成に加え、スライダー１の胴体２における案内柱３の摺動面７に突設するエレメントガイド部６と、このエレメントガイド部６と対面する上止め１４のファスナーテープ１０側に位置する隅角部１５との双方を適宜形状に切欠することによって、エレメントガイド部６と隅角部１５との当接を回避できる逃げ部８，１６をそれぞれ形成した隠しスライドファスナーである。
【００１８】
請求項５記載の発明は、請求項２記載の発明の構成に加え、ファスナーテープ１０をＵ字状に反転した折曲縁部１１に形成する上止め１４において、隅角部１５に形成するスライダー１のエレメントガイド部６との当接を回避できる逃げ部１６は、隅角部１５における長手方向の一部にのみ逃げ部１６を形成した隠しスライドファスナーである。
【００１９】
請求項６記載の発明は、請求項１，２，４または５記載の発明の構成に加え、隠しスライドファスナーにおけるファスナーエレメント１２は、コイル状またはジグザグ状の線条ファスナーエレメント１２から形成し、上止め１４はファスナーエレメント１２の数ピッチに及ぶ長さで形成し、断面形状はファスナーエレメント列２３と略同一断面で一体成形で形成し、ファスナーエレメント１２の頭部１８側に位置するファスナーテープ１０側の隅角部１５に、スライダー１のエレメントガイド部６との当接を回避できる逃げ部１６を形成した隠しスライドファスナーである。
【００２０】
請求項７記載の発明は、請求項１，２，４，５記載の発明の構成に加え、ファスナーテープ１０をＵ字状に反転した折曲縁部１１に形成する上止め１４は、熱可塑性樹脂例えばポリアセタール、ポリアミド、ポリプロピレン、ポリブチレンテレフタレートなどの樹脂を用いて、射出成形手段によって一体成形して折曲縁部１１に上止め１４を形成した隠しスライドファスナーである。
【００２１】
【発明の実施の形態】
以下、この発明の隠しスライドファスナーの実施の形態について、図面を参照しながら具体的に説明する。
【００２２】
この発明の隠しスライドファスナーは、図１，２に示すように、ファスナーテープ１０の一側縁をＵ字状に反転させる形で折り曲げて折曲縁部１１を形成し、この折曲縁部１１にポリアミド、ポリエステルなどの合成繊維のモノフィラメントから、コイル状またはジグザグ状に形成して線条ファスナーエレメント１２を作製し、このファスナーエレメント１２の脚部１９間に芯紐２１を挿通してファスナーエレメント列２３を形成し、このファスナーエレメント列２３をファスナーテープ１０の折曲縁部１１に、ファスナーエレメント１２の頭部１８が露出する形で二重環縫などの縫糸２２によって、脚部１９を縫着して長尺のファスナーストリンガ２４を形成する。なお図中２０はファスナーエレメント１２の連結部であり、またファスナーエレメントはファスナーテープの側縁に取り付けた単体のファスナーエレメントであってもよい。
【００２３】
長尺のファスナーストリンガ２４に所定間隔でファスナーエレメント１２を除去したスペース部２５を設け、このスペース部２５にファスナーエレメント１２に連接する上止め１４を取り付ける。上止め１４はポリアセタール、ポリアミド、ポリプロピレン、ポリブチレンテレフタレートなどの熱可塑性樹脂を用いて射出成形手段によって一体成形して形成し、左右のファスナーストリンガ２４をスライダー１によって噛合させファスナーチエン９を形成する。
【００２４】
この発明の特徴は、隠しスライドファスナーにおけるスライダー１と上止め１４との関連構成にあり、以下その特徴について具体的に説明する。
【００２５】
ファスナーチエン９のコイル状ファスナーエレメント１２に連接して形成する上止め１４とスライダー１とは、ファスナーチエン９をスライダー１によって閉鎖する際、スライダー１の胴体２に設けるファスナーエレメント１２を、フランジ５とともにガイドする案内柱３の摺動面７に形成したエレメントガイド部６と、ファスナーテープ１０の折曲縁部１１に取り付けた上止め１４に形成した隅角部１５とが、当接するのを回避するように形成したところに特徴がある。
【００２６】
そして、スライダー１の案内柱３に形成したファスナーエレメント１２の頭部１８をガイドするエレメントガイド部６と、このエレメントガイド部６と対面する上止め１４の露呈する側縁の隅角部１５とが当接するのを回避するため、エレメントガイド部６に逃げ部８を設けるか、または隅角部１５に逃げ部１６を設けるか、あるいはエレメントガイド部６と隅角部１５の双方に逃げ部８，１６を設けることによって、エレメントガイド部６と隅角部１５との当接を回避することができる。
【００２７】
図３，４に示す上止め１４は、ファスナーエレメント列２３と断面形状が略同一形状の大きさであって、ファスナーエレメント１２の数ピッチに及ぶ長さで成形し、上止め１４のファスナーエレメント１２の頭部１８側におけるファスナーテープ側の側縁の全長にわたる隅角部１５に、図４に示すように斜面状に切欠し、スライダー１の案内柱３に設けたエレメントガイド部６との当接を積極的に回避する逃げ部１６を形成した上止め１４である。
【００２８】
図５に示す上止め１４は、ファスナーテープ１０の折曲縁部１１に形成した上止め１４は、前例と同様の形態であるが、上止め１４の側縁における隅角部１５に設ける逃げ部１６の形状を斜面状でなく、弧状に切欠して形成し、案内柱３のエレメントガイド部６との当接を積極的に回避するように形成した上止め１４である。
【００２９】
図６に示す上止め１４は、ファスナーテープ１０の折曲縁部１１に成形して取り付ける上止め１４は、その側縁における隅角部１５に設ける逃げ部１６の形状を角形に切欠して形成し、案内柱３のエレメントガイド部６との当接を積極的に回避するように形成した上止め１４である。
【００３０】
図７，８に示すスライダー１におけるエレメントガイド部６に形成する上止め１４との当接を回避する逃げ部８は、スライダー１の案内柱３における摺動面７に形成するエレメントガイド部６のみに設置し、上止め１４には逃げ部１６を設置しない、従って案内柱３のエレメントガイド部６は、突出する部分を緩やかな斜面状の摺動面７に切欠して、上止め１４の隅角部１５との激しい当接を回避することができる。
【００３１】
図９に示す形態は、スライダー１の案内柱３の摺動面７に形成する突出状のエレメントガイド部６において、エレメントガイド部６を切欠して緩やかな斜面状に形成して逃げ部８を設けるとともに、ファスナーテープ１０の折曲縁部１１に形成した上止め１４にも、ファスナーテープ１０に面した隅角部１５を緩やかに切欠して逃げ部１６を設け、案内柱３のエレメントガイド部６と上止め１４の隅角部１５との双方に逃げ部８，１６を形成し、エレメントガイド部６と隅角部１５との当接を積極的に回避したものである。
【００３２】
図１０に示す上止め１４は、ファスナーテープ１０の折曲縁部１１に形成する上止め１４について、上止めに設けるスライダー１のエレメントガイド部６との当接を回避する逃げ部１６が、上止め１４の隅角部１５における全長にわたって設置することなく、隅角部１５の長手方向の一部のみに逃げ部１６を設ける。従ってこのタイプの上止め１４は、上止め１４自体が長尺体で全長にわたって設置する必要がない場合に適する。また図１１に示す上止め１４は隅角部１５の一部に逃げ部１６を形成するが、この逃げ部１６は徐々に切欠部分を少なくする形で形成したものである。
【００３３】
【発明の効果】
この発明の隠しスライドファスナーは、以上説明したとおりの構成であり、この構成によって下記の効果を奏するものである。
【００３４】
この発明のうち請求項１記載の発明は、スライダーの案内柱の摺動面に形成するエレメントガイド部、または該エレメントガイド部と対面する上止めの側縁の隅角部に、エレメントガイド部と隅角部とが当接するのを回避する逃げ部を形成したことによって、ファスナーチエンをスライダーによって閉鎖するとき、スライダーの案内柱と上止めとが激しく当接するのを防ぎ、上止めに傷をつけず結果的に安心して使用ができ、かつ円滑に操作が行える効果がある。
【００３５】
請求項２の発明は、請求項１記載の発明の効果に加え、ファスナーテープの折曲縁部に形成する上止めのエレメントガイド部と対面する隅角部を適宜切欠して逃げ部を形成したことにより、案内柱と上止めとが当接するのを、上止めにおいて、簡単な構造を付加することにより回避できる効果がある。
【００３６】
請求項３の発明は、請求項１記載の発明の効果に加え、スライダーの案内柱の摺動面に突出状に形成するエレメントガイド部を、上止めの隅角部と対面する部分を適宜切欠して逃げ部を形成したことによって、案内柱と上止めとが当接するのを、案内柱に簡単な構造を付加することにより回避できる効果がある。
【００３７】
請求項４の発明は、請求項１記載の発明の効果に加え、スライダーの案内柱の摺動面に形成するエレメントガイド部と、該ガイド部と対面する上止めの隅角部との双方を適宜切欠して逃げ部を形成したことによって、案内柱と上止めとが当接するのを、案内柱と上止めの双方に簡単な構造を付加することにより回避できる効果がある。
【００３８】
請求項５の発明は、請求項１記載の発明の効果に加え、ファスナーテープの折曲縁部に形成する上止めの隅角部を切欠して形成する逃げ部は、上止めの隅角部の一部に形成したことによって、上止め自体の長さを長くしても簡単に案内柱と上止めとの当接を回避できる効果がある。
【００３９】
請求項６の発明は、請求項１，２，４または５記載の発明の効果に加え、ファスナーエレメントは線条ファスナーエレメントから形成し、上止めはファスナーエレメントの数ピッチに及ぶ長さでファスナーエレメント列と略同一断面形状で一体成形し、ファスナーエレメントの頭部側におけるファスナーテープ側の隅角部に逃げ部を成形したことによって、隠しスライドファスナーにおいて需要の大きな前記タイプのファスナーに対し、簡単に案内柱と上止めとの当接を簡単な構造で回避できる効果がある。
【００４０】
請求項７の発明は、請求項１，２，４，５または６記載の発明の効果に加え、ファスナーテープの折曲縁部に形成する上止めは、熱可塑性樹脂を用いて射出成形で一体成形したことによって、案内柱と上止めの当接を回避するための上止めを、簡単な加工手段で成形できる素材を使って、各種の色彩、形状の上止めを簡単に成形でき、顧客の要求に簡単に応えることができる効果があるなど、この発明が奏する効果はきわめて顕著である。
【図面の簡単な説明】
【図１】隠しスライドファスナーの一部を切欠した正面図である。
【図２】同上隠しスライドファスナーの背面図である。
【図３】隠しスライドファスナーの上止めにおける逃げ部を示す断面図である。
【図４】図３におけるＡ−Ａ線断面図である。
【図５】隠しスライドファスナーの上止めにおける逃げ部の変形例を示す断面図である。
【図６】隠しスライドファスナーの上止めにおける逃げ部の他の変形例を示す断面図である。
【図７】隠しスライドファスナーのスライダーの案内柱における逃げ部を示した断面図である。
【図８】同上隠しスライドファスナーのスライダーの側面図である。
【図９】隠しスライドファスナーの案内柱と上止めにおける逃げ部を示す断面図である。
【図１０】隠しスライドファスナーの上止めに形成した逃げ部の斜視図である。
【図１１】隠しスライドファスナーの上止めに形成した逃げ部の変形例を示す斜視図である。
【図１２】公知の隠しスライドファスナーのスライダーの斜視図である。
【図１３】公知の隠しスライドファスナーの上止めの断面図である。
【符号の説明】
１            スライダー
３            案内柱
６            エレメントガイド部
７            摺動面
８            逃げ部（スライダー）
１０            ファスナーテープ
１１            折曲縁部
１２            ファスナーエレメント
１４            上止め
１５            隅角部
１６            逃げ部（上止め）
１８            頭部
２３            ファスナーエレメント列
【図１】
2004195046.tif 000003
【図２】
2004195046.tif 000004
【図３】
2004195046.tif 000005
【図４】
2004195046.tif 000006
【図５】
2004195046.tif 000007
【図６】
2004195046.tif 000008
【図７】
2004195046.tif 000009
【図８】
2004195046.tif 000010
【図９】
2004195046.tif 000011
【図１０】
2004195046.tif 000012
【図１１】
2004195046.tif 000013
【図１２】
2004195046.tif 000014
【図１３】
2004195046.tif 000015